(57)【要約】      （修正有）【課題】背中のツボや筋肉の凝った箇所を中心とする良好な指圧効果を得ることが可能で、転圧手段が不用意に大きく移動することもなく、使い勝手の良い指圧用具を提供する。【解決手段】表面に面ファスナー部１１ｂを設けたシート部材１１と、このシート部材１１上の面ファスナー部１１ｂと係着しつつ転動可能な転圧手段１２とから成る。この転圧手段１２を、表面に面ファスナー部を設けた複数個の指圧球体１２Ａ，１２Ｂ、或は表面に面ファスナーを設けた袋体の中に指圧球体を収容させたもので構成する。【選択図】図１
0003191371.tif 000002
【実用新案登録請求の範囲】
【請求項１】
表面に面ファスナー部を設けたシート部材と、
このシート部材上に置かれ当該シート部材の前記面ファスナー部と係着しつつ転動可能な転圧手段とから成り、
前記転圧手段は、表面に面ファスナー部を設けた複数個の指圧球体で構成したことを特徴とする、指圧用具。
【請求項２】
前記転圧手段は、表面に面ファスナー部を有する袋体と、この袋体の中に収容された複数個の指圧球体と、から構成されることを特徴とする、請求項１に記載の指圧用具。
【請求項３】
前記シート部材は、折り畳み可能であることを特徴とする、請求項１又は２のいずれか１項に記載の指圧用具。
【請求項４】
前記シート部材を折り畳み可能に構成するに当たり、柔軟な素材で作製したことを特徴とする、請求項３に記載の指圧用具。
【請求項５】
前記シート部材を折り畳み可能に構成するに当たり、予め折り畳み線を設けたことを特徴とする、請求項３に記載の指圧用具。
【請求項６】
前記指圧球体は、上からかけられた体重によって弾性変形する材質のもので作られていることを特徴とする、請求項１か２のいずれか１項に記載の指圧用具。
【請求項７】
前記シート部材の面ファスナー部には、指圧すべき人体のツボの位置が表示されていることを特徴とする、請求項１ないし４のいずれか１項に記載の指圧用具。
【請求項８】
前記指圧すべき人体のツボの位置は、別紙に表示されていることを特徴とする、請求項７に記載の指圧用具。
【考案の詳細な説明】
【技術分野】
【０００１】
本考案は、指圧の原理を応用したもので、とくに人体の背中や腰、或は首筋などにあるツボや筋肉の凝った箇所等を上から体重をかけて押圧して、治療したりほぐしたりする際に用いて好適な指圧用具に関する。
【背景技術】
【０００２】
従来、この種の指圧用具としてはさまざまなタイプのものが提案されており、例えば下記特許文献１や２に記載のものが知られている。
【０００３】
特許文献１に記載のものは、衣類や敷物、椅子などに取り付けることが可能なシート状の面ファスナー部と、略半球状の押圧用駒体とから構成され、この押圧用駒体の頂部近くには磁石が取り付けられ、底面には面ファスナー部が取り付けられている。押圧用駒体の底面の面ファスナー部を、前記シート状の面ファスナー部に付着させることによって、押圧用駒体をシート状の面ファスナー部の所望位置に取り付けることができ、これにより、衣類や敷物、椅子などに取り付けた前記シート状の面ファスナー部の所望位置に押圧用駒体を取り付けた上で、この押圧用駒体に使用者の背中などのツボや筋肉の凝った箇所を押し付けることによって、指圧と同様の効果が得られるようにしたものである。しかしながら、前記押圧用駒体は略半球状で、その平坦な底面において前記シート状の面ファスナー部に付着しているため、使用者がシート状の面ファスナー部上で人体を前後左右に動かしても、押圧用駒体がそれに追従して転動することはなく、ツボを中心とする良好な指圧効果を得ることが困難であった。
【０００４】
また、特許文献２に記載のものは、上面を突条により縁取りした基盤と、この基盤上に載置される所定の弾性を有する直径５０〜９０ｍｍの少なくとも２個の球体との組合せから成り、球体の表面及び基盤表面の少なくとも一方に凹凸を形成したことを特徴とするものである。しかしながら、この指圧器具上に使用者が背中を載せようとするときや、使用中に、基盤上で球体が当初の設置位置から大きく移動し易く、使いにくいという問題点があった。
【先行技術文献】
【特許文献】
【０００５】
【特許文献１】特開２００７−１３６１４２号公報
【特許文献２】実開昭５４−１５４６８９号公報
【考案の概要】
【考案が解決しようとする課題】
【０００６】
本考案はこれらの問題点を解決するためになされたものであり、その目的とするところは、背中のツボや筋肉の凝った箇所（トリガーポイント）を中心とする良好な指圧効果を得ることが可能で、転圧手段が不用意に大きく移動することもなく、使い勝手の良い背中のツボや筋肉の凝った箇所を押圧する指圧用具を提供することにある。
【課題を解決するための手段】
【０００７】
上記目的を達成するために、請求項１に係る本考案の指圧用具は、表面に面ファスナー部を設けたシート部材と、このシート部材上に置かれ当該シート部材の前記面ファスナー部と係着しつつ転動可能な転圧手段とから成り、前記転圧手段は、表面に面ファスナー部を設けた複数個の指圧球体で構成したことを特徴とする。
請求項２に係る指圧用具は、前記転圧手段を、表面に面ファスナー部を有する袋体と、この袋体の中に収容された複数個の指圧球体とで構成したことを特徴とする。
請求項３に係る指圧用具は、前記シート部材を、折り畳み可能としたことを特徴とする。
請求項４に係る指圧用具は、前記シート部材を折り畳み可能に構成するに当たり、柔軟な素材で作製したことを特徴とする。
請求項５に係る指圧用具は、前記シート部材を折り畳み可能に構成するに当たり、予め折り畳み線を設けたことを特徴とする。
請求項６に係る指圧用具は、前記指圧球体を、上からかけられた体重によって弾性変形する材質のもので作製したことを特徴とする。
請求項７に係る指圧用具は、前記シート部材の面ファスナー部に、指圧すべき人体のツボの位置が表示されていることを特徴とする。
請求項８に係る指圧用具は、前記指圧すべき人体のツボの位置を、別紙に表示したことを特徴とする。
【考案の効果】
【０００８】
本考案は前記の如き構成を有し、転圧手段がその面ファスナー部によりシート部材側の面ファスナー部に対して係着され、使用者がシート部材上で人体を前後左右に動かすと、指圧球体がそれに係着状態を維持したまま追従して転動することにより、使用者の希望に応じてツボや筋肉の凝った箇所及びその周辺の領域が揉まれるように押されて、しごかれ、心地よい指圧効果を得ることができる。また、本考案における転圧手段は、それ自身が面ファスナー部による係着手段で係着及び転動し、使用者が転圧手段上に人体を載せようとするときや、使用中において、シート部材上で指圧球体が当初の設置位置から大きく移動し、ズレてしまうようなことはなく、使用勝手のよい指圧用具を提供し得るものである。
【図面の簡単な説明】
【０００９】
【図１】本考案に係る指圧用具の一実施例を示す斜視図である。
【図２】図１に示した指圧用具のシート部材に転圧手段の１例である指圧球体を載置した状態を示す一部拡大断面図である。
【図３】図１及び図２に示した指圧用具の使用状態を示す説明図である。
【図４】本考案に係る指圧用具において多数の転圧手段の１例である指圧球体を用いた例を示す斜視図である。
【図５】本考案に係る転圧手段のもう一つの実施例を示す斜視図である。
【図６】図５中のＡ−Ａ線に沿った拡大断面図である。
【図７】図５及び図６に示した転圧手段の使用状態を示す説明図である。
【図８】本考案に係る指圧用具におけるシート部材の表面に、人体のツボの位置を表示した例を示す平面図である。
【図９】本考案に係る指圧用具におけるシート部材の他の実施例を示す斜視図である。
【図１０】図９に示したシート部材を用いた指圧用具の使用状態を示す説明図である。
【図１１】図９に示したシート部材を用いた指圧用具のもう一つの使用状態を示す説明図である。
【考案を実施するための形態】
【００１０】
以下に本考案に係る指圧用具の好ましい実施例を図面に基いて説明するが、本考案はこの実施例に限らず、材質、各部の形状、寸法、等々の仕様は、対象使用者、治療目的、使用環境、製造コスト等々に応じて、様々に変更実施することが可能である。
なお、各図中、同一の指示記号を付したものは、同一又は同等の構成要素を示している。
【実施例１】
【００１１】
図１乃至図４は、本考案に係る指圧用具の一実施例を示す。図面によれば、指圧用具１は、シート部材１１と、複数個（図では２個のみ記載）の転圧手段１２の実施例を示す指圧球体１２Ａ、１２Ｂ（以下単に指圧球体１２Ａ、１２Ｂという場合がある。）とから構成され、必要に応じて、指圧すべき人体のツボの位置等を表示した別紙の付属説明書１３が添付されている。
【００１２】
シート部材１１は、図２の一部拡大断面図に示すように、ベース材１１ａと、その上面に剥離不能なように取り付けられた面ファスナー部１１ｂとから構成されている。ベース材１１ａは、例えばスポンジシート、合成ゴムシート等の適度の弾性と柔軟性を有する素材で作製されることが好ましいが、必ずしもこれに限定されるものではない。面ファスナー部１１ｂは、表面に合成樹脂による多数の細かいフックを織り込んだフック地と、これらのフックに引っ掛けられる多数の細かいループ繊維が表面に起毛されたループ地とのいずれか一方から成り、図示した例における面ファスナー部１１ｂはフック地から構成されており、当該フック地が、ベース材１１ａの上面に剥離不能なように貼着、縫い付け、その他の手段により取り付けられている。図示した実施例における面ファスナー部１１ｂは、図１に示す如く、シート部材１１の上面に周辺部を残して設けられているが、全領域に設けるようにしてもよい。ベース材１１ａには把手部１１ｃが設けられている。
【００１３】
転圧手段１２の実施例を示す指圧球体１２Ａ、１２Ｂは、図２に示す如く、ゴム、スポンジその他の弾性を有する素材で作製された球状の芯材１２１の表面に、面ファスナー部１２２が貼着された硬式テニスボールのような、例えば、直径１５ｍｍ〜１５０ｍｍ程度の球体であることが好ましい。しかしどうしても弾性を有することを要するものではない。この場合には、シート部材１１自体を弾性を有するか柔軟な材料で構成することが、使用時において人体への痛みを軽減させる意味で望ましい。図１及び図２に示した実施例においては、前記球状の芯材１２１の表面全体に、前記シート部材１１の面ファスナー部１１ｂを構成するフック地のフックに引っ掛けられる多数の細かいループ繊維を有するループ地から成る面ファスナー部１２２が取り付けられている。面ファスナー部１２２は、場合によっては、球状の芯材１２１の表面全体ではなく、例えば、まだら状、筋状のように、部分的に設けるようにしてもよい。球状の芯材１２１には、前記の如く、それ自体に或る程度の弾性をもたせることも望ましく、更には中空球体として、弾性を高めるようにしてもよい。なお、指圧球体１２Ａ、１２Ｂの直径を１５ｍｍ〜１５０ｍｍ程度とする理由は、直径が１５ｍｍ未満では小さすぎて指圧効果が期待できず、１５０ｍｍを超えると大きすぎて使用や取扱いに不便であり、指圧効果も低減するためである。このような指圧球体１２Ａ、１２Ｂとしては、例えば株式会社池田工業社の製造、販売に係る玩具ボール等を用いることも可能である。
【００１４】
本考案に係る指圧用具１においては、このような指圧球体１２Ａ、１２Ｂを、シート部材１１の面ファスナー部１１ｂ上の所望位置に係着（図１中、１２Ａ´、１２Ｂ´で示す。）させて使用する。指圧球体１２Ａ、１２Ｂの係着位置については、例えば、別紙の付属説明書１３に記載された人体の背中側のツボの位置等の説明図１３ａを参考にしてもよい。
【００１５】
使用中においては、図３に示す如く、使用者Ｈが指圧を希望する所望の部位に指圧球体１２Ａ、１２Ｂが当たるように仰向けに横たわり、体重をかけて人体を前後左右に揺り動かすと、弾性を有する指圧球体１２Ａ、１２Ｂは、体重によって弾性変形し、人体の動きに追従して所定範囲内で転動することにより、使用者のツボや筋肉が凝って痛みを生じさせている個所（トリガーポイント）を中心とする周辺領域がグリグリと揉まれるように押され、しごかれることにより、心地よい指圧効果を得ることができる。その場合、指圧球体１２Ａ等は球体であるため、転動動作が円滑に行われると共に、シート部材１１側の面ファスナー部１１ｂと指圧球体１２Ａ側の面ファスナー部１２２が互いに係着しているため、あらぬ方向に転動してしまうことなく、使い勝手の良い転動、指圧効果を得ることができる。
【００１６】
図４は、指圧治療すべき箇所に合わせて、シート部材１１の面ファスナー部１１ｂ上に転圧手段としての６個の指圧球体１２Ｃ〜１２Ｈを設置した状態を示している。本考案に係る指圧用具においては、このように、多数の指圧球体を同時に使用することが可能であるので、販売時には、例えば１〜２枚程度のシート部材１１と、２０個程度の指圧球体、及び、必要に応じて別紙の付属説明書１３をセットにして販売するようにする。
【実施例２】
【００１７】
図５は、転圧手段の他の実施例を示し、本実施例に係る指圧用具２は、実施例１と同様の構成のシート部材１１を用いるが、転圧手段の構成が異なっている。この実施例２に係る転圧手段１５は、袋体１４と、この袋体１４に収納された指圧球体１５ａ、１５ｂとから構成されている。指圧球体１５ａ、１５ｂは、必ずしもその表面に実施例１のような面ファスナー部を設けたものである必要はない。
【００１８】
この図５に示した実施例２の指圧用具２においては、指圧球体１５ａ、１５ｂが袋体１４に収納された状態で、この袋体１４ごとシート部材１１の所望位置に載置されるので、使用中に指圧球体１５ａ、１５ｂが不必要に遠くまで移動、散乱することがなく、保管時等にも指圧球体が散逸するのを防止できるという利点を有する。以下、具体的に説明する。
【００１９】
指圧球体１５ａ、１５ｂを収容する袋体１４は、図６に示すように、例えば、その上側布地１４ａと下側布地１４ｂとを、それらの両端部１４ｃ、１４ｄにおいて縫合、溶着、接着等により接合することにより、前記指圧球体１５ａ、１５ｂを収容するための収納部１４ｅを形成して成るものである。図示したものは、図５及び図６に示す如く、収納部１４ｅ内に指圧球体１５ａ、１５ｂを収納したのち、収納部１４ｅの開口部１４ｆ（図５参照）を閉じるため、当該開口部における前記上側布地１４ａの内面と下側布地１４ｂの内面とにそれぞれ設けた面ファスナー部１４ｇ（上側布地のものは、隠れて見えない。）を互いに接合することによって閉止するようにする。なお、開口部１４ｆを閉じる手段はこれに限らず、噛合式ファスナーやボタン等の各種手段を利用できる。袋体１４の前記収納部１４ｅについては、必ずしも１つに限らず、袋体１４内の各指圧球体１５ａ、１５ｂ等がそれぞれ或る程度の範囲で転動、移動できる余裕を持たせた複数のスペースに仕切るようにしてもよい。袋体１４の大きさ等は適宜変更可能である。また、袋体１４に収納する指圧球体の個数も必ずしも２個に限定されない。外表面に面ファスナー部を設けた袋体を用いる場合には、指圧球体の外周には面ファスナー部を設けなくともよい場合もある。尚、袋体１４は、実施例のものに限定されず、例えば入口をひもで縛る巾着袋のような構成のものであってもよい。
【００２０】
図６に示すように、袋体１４の前記上側布地１４ａの外面には面ファスナー部のループ地１４ｈを設け、下側布地１４ｂの外面には面ファスナー部のループ地１４ｉを設けることにより、転圧手段１５の袋体１４をシート部材１１の面ファスナー部１１ｂ（フック地）上の所望の位置に接合させることができる（図５参照）。図示した例では、袋体１４の外面全体に面ファスナー部を設けるようにしたが、部分的でもよく、また、袋体１４の内面にも、前記開閉用の面ファスナー部１４ｇ以外に、収容された指圧球体１５ａ、１５ｂの動きを或る程度規制するための面ファスナー部を適宜設けるようにしてもよい。
【００２１】
使用時においては、図７に示す如く、使用者Ｈは、シート部材１１の面ファスナー部上に設置した袋体１４中の指圧球体１５ａ、１５ｂが、背中等の指圧を希望する所望の部位に当たるように横たわり、体重をかけて人体を前後左右に揺り動かすと、図６に示す如く、指圧球体１５ａ、１５ｂもこれに追従して袋体１４内において前後左右に所定範囲内で転動し、これによって、使用者のツボを中心とする周辺領域がグリグリと揉むように押されて、しごかれ、心地よい指圧効果を得ることができる。その際、指圧球体１５ａ、１５ｂは袋体１４内に収納されているため、使用中に指圧球体１５ａ、１５ｂが不必要に遠くまで移動することがなく、所定範囲内でのみ転動するため、使い勝手の良い指圧用具を提供することができる。
【００２２】
尚、指圧球体１５ａ、１５ｂは袋体１４に出し入れ可能であるので、それらの指圧球体を１５ａ、１５ｂを実施例１のように構成すると、袋体１４から取り出し、図１もしくは図４に示したように、それらの指圧球体１５ａ、１５ｂをシート部材１１上に直接載置させて使用するようにしてもよい。尚、袋体は１枚に限らず、複数枚用意し、必要な数だけ同時に用いるようにしてもよい。
【実施例３】
【００２３】
図８はシート部材の他の実施例を示す。図面によればこの実施例３に係るシート部材１６は、実施例１と２のもののように、ベース材１６ａの上面に周辺部を残すことなく、面ファスナー部１６ｂが設けられており、把手部は設けられていない。このように実施しても本考案の目的は達成できる。そして、面ファスナー部１６ｂの表面に人体のツボの位置を図示してある。即ち、図８に示すように、指圧すべきツボ（経穴）の位置のマーク１６ｃや、経絡の線図１６ｄを表示することにより、人体の背中、首、腰の部分のツボの位置が解るようになっている。尚、図示の手段については、実施例のものに限定されない。図示はベース材１６ａに設けて、面ファスナー部１６ｂを図示に合わせて切り抜くようにしてもよい。また、シート部材１６の面ファスナー部１６ｂの表面には、細かな文字等は表示できないので、ツボの位置を表示したシート部材１６を提供する場合であっても、前記付属説明書１３を併せて添付することを排除するものではない。
【００２４】
尚、以上の実施例では、面ファスナー部の前記フック地をシート部材側に取り付け、ループ地を指圧球体側及び袋体側に取り付けるようにしたが、使用条件に応じて、これとは逆に、面ファスナー部の前記ループ地をシート部材側に取り付け、フック地を指圧球体側及び袋体側に取り付けるようにしてもよい。
【実施例４】
【００２５】
図９は、シート部材の他の実施例を示す。図面によれば、この実施例４に係るシート部材１７には、ベース材１７ａ及び面ファスナー部１７ｂから成るシート自体に、予め複数の折り畳み線１７ｃ〜１７ｊが形成されている。シート部材１７の素材が、そのままでは折り畳み困難なものである場合のみならず、折り畳み可能な柔軟な素材で作製されている場合においても、このような折り畳み線１７ｃ〜１７ｊを形成しておくことにより、所定箇所での折り畳み作業が容易化できる。これらの折り畳み線は、例えば、シート部材１７のその部分を熱間プレスして薄くしたり、シート部材１７の製造過程でその部分の材料量を減らす等々の手段で形成することができる。尚、シート部材１７は、折り畳み線を設けずとも、全体として折り畳み可能な柔軟な材料で構成し、適宜個所を折り畳んで使用することができるようにしてもよい。
【００２６】
図１０は、図９に示したシート部材１７の使用例を示し、例えば実施例１に記載の指圧球体１２Ａ、１２Ｂを使用する際に、より強い指圧効果を得るために、図面に示したように、例えば、各折り畳み線１７ｃ〜１７ｇを用いて適当な高さに折り曲げて、周りよりも盛り上がった重畳部１７ｋを形成した状態を示している。この重畳部１７ｋの上に指圧球体１２Ａ、１２Ｂを載置して、使用者Ｈの患部領域を押圧することにより、より強い指圧効果を得ることができるものである。
【００２７】
図１１は、図１０の場合と同様に、シート部材１７を前記折り畳み線に沿って折り畳んで使用する場合において、図７に示した実施例の場合のように、指圧球体１５ａ、１５ｂを収納した袋体１４から成る転圧手段１５を、シート部材１７の重畳部１７ｋ上に載置して使用する状態を示したものである。図１０の場合と同様に、使用者Ｈの患部領域を全体的に持ち上げた状態で押圧することにより、より強い指圧効果が期待でき、症状に応じた一層有効な指圧効果を得ることができる。
【００２８】
前記折り畳み線１７ｃ〜１７ｊ等の形成位置、本数、方向、長さ、間隔等は、対象使用者、治療目的等に応じて、最適なように変更設定できる。
【００２９】
尚、本考案は上記実施例に限定されるものではなく、シート部材の全体形状、袋体の形状、構造、付属説明書の記載内容、等々については種々の設計変更が可能である。
【産業上の利用可能性】
【００３０】
本考案は以上のように構成したので、背中のツボや筋肉の凝った箇所の周りの領域が揉むように押されて、しごかれ、心地よい指圧効果を得ることができ、また、使用中において、シート部材上で指圧球体が当初の設置位置から大きく移動し、ズレてしまうようなことはなく、使用勝手のよい指圧用具を提供し得る。
【符号の説明】
【００３１】
１、２    指圧用具
１１      シート部材
１１ａ    ベース材
１１ｂ    面ファスナー部
１２      転圧手段
１２Ａ〜１２Ｈ  指圧球体
１２１    芯材
１２２    面ファスナー部
１３      付属説明書
１４      袋体
１５      転圧手段
１５ａ、１５ｂ  指圧球体
１６、１７  シート部材
１７ｃ〜１７ｊ  折り畳み線
【図１】
0003191371.tif 000003
【図２】
0003191371.tif 000004
【図３】
0003191371.tif 000005
【図４】
0003191371.tif 000006
【図５】
0003191371.tif 000007
【図６】
0003191371.tif 000008
【図７】
0003191371.tif 000009
【図８】
0003191371.tif 000010
【図９】
0003191371.tif 000011
【図１０】
0003191371.tif 000012
【図１１】
0003191371.tif 000013